(57)【要約】【課題】分解収納性がよく、軽量で持ち運びに適したミニテーブルを提供する。【解決手段】レール構造を有する天板片１１〜１６と、脚板４１、４２と、前記レール構造を挟み込んで摺動可能な溝を両方の側面に有する連結梁３１、３２と、端縁梁２１、２２とを、組み立てて使用する。脚板４１、４２、端縁梁２１、２２および連結梁３１、３２は、それぞれ２つ折り可能な構造である。脚板４１、４２の頂部には、水平方向にわたり同じ断面形状の膨らんだ先端部を備え、該先端部の長さ方向両端には、長さ方向に伸び出て、さらに直角方向に伸び出る下向きＬ字状係合構造を備え、連結梁３１、３２の両端寄りの２箇所には、脚板４１、４２の先端部が挿通されて摺動可能な貫通溝をそれぞれ備える。端縁梁２１、２２の両端寄りの２箇所には、脚板４１、４２の下向きＬ字状係合構造に係合可能な貫通孔をそれぞれ備える。【選択図】　図１
2004089556.tif 000002
【特許請求の範囲】
【請求項１】
対向して置かれる２つの脚板と、各脚板の長さ方向両端に嵌合することにより、脚板と直角に取り付けられる２つの端縁梁と、各脚板の頂部に嵌合することにより、端縁梁の間で端縁梁に平行に取り付けられる１つ以上の連結梁と、端縁梁および連結梁に嵌合して天板を構成する複数の天板片とからなる組立て式のミニテーブル。
【請求項２】
前記脚板は、長さ方向両端に係合構造を備え、前記端縁梁は、一方側面に天板片が摺動可能な構造を備え、かつ、両端寄りの２個所に前記脚板の係合構造に係合可能な貫通孔を備え、前記連結梁は、両方側面に天板片が摺動可能な構造を備え、かつ、両端寄りの２個所に前記脚板の頂部に嵌合する構造を備え、前記天板片は、端縁梁および連結梁に摺動可能な構造を、対向する一対の辺縁に備え、かつ、端縁梁および連結梁の長さの半分の長さを有することを特徴とする請求項１に記載の組立て式のミニテーブル。
【請求項３】
前記脚板、前記端縁梁および前記連結梁は、それぞれ２つ折り可能な構造であることを特徴とする請求項１または２に記載の組立て式のミニテーブル。
【請求項４】
一対の平行な辺縁のそれぞれに、先端が基部より大きい断面形状のレール構造を有する６つの天板片と、２つの脚板と、前記レール構造の先端を挟み込んで摺動可能な溝を両方の側面に有する２つの連結梁と、前記レール構造の先端を挟み込んで摺動可能な溝を一方の側面に有する２つの端縁梁とからなる組立て式のミニテーブルであり、前記脚板、前記端縁梁および前記連結梁は、それぞれ２つ折り可能な構造であり、前記脚板の頂部には、水平方向にわたり同じ断面形状の膨らんだ先端部を備え、該先端部の長さ方向両端には、長さ方向に伸び出て、さらに直角方向に伸び出る下向きＬ字状係合構造を備え、前記連結梁の両端寄りの２箇所には、略下方向に向けて、脚板の先端部が挿通されて摺動可能な貫通溝をそれぞれ備え、前記端縁梁の両端寄りの２箇所には、脚板の下向きＬ字状係合構造に係合可能な貫通孔をそれぞれ備えることを特徴とする組立て式のミニテーブル。
【請求項５】
前記天板片のレール構造と垂直な辺の一方には、前記連結梁または端縁梁の端部で天板片が係止される構造の縁部を備えることを特徴とする請求項４に記載の組立て式のミニテーブル。
【請求項６】
前記天板片の２つを、組み立てられて天板を構成する面と反対側の面を対向する位置関係で向かい合わせることにより、レール構造を備えた２つの縁部で挟まれた空間が形成され、６つの天板片による３つの該空間内に、折り畳んだ２つの脚板、折り畳んだ２つの連結梁、および折り畳んだ２つの端縁梁を、それぞれ収納可能であることを特徴とする請求項４または５に記載の組立て式のミニテーブル。
【発明の詳細な説明】
【０００１】
【発明の属する技術分野】
本発明は、分解収納可能な組立て式のミニテーブルに関し、特に、登山で使用するのに適した組立て式のミニテーブルに関する。
【０００２】
【従来の技術】
登山において、煮炊きをしたり、湯を沸かすために、分解収納可能なミニテーブルを使用する。該ミニテーブルは、軽量でコンパクトであることが望まれ、従来から様々な工夫が凝らされてきたが、部品点数が多くて重かったり、強度が十分でなかったりする問題があった。
【０００３】
従来のミニテーブルとして、例えば、特許第２８９６６４５号公報には、複数枚の分断支承板で天板を構成する支承台があった。しかし、２つの側体に設ける板材挿入溝部の間にスライド挿入するため、支承台の幅以下には支承板を分断することができなかった。
【０００４】
奥行き方向に分断した天板を、幅方向に折畳み可能とするミニテーブルもあったが、天板にかかる荷重が折畳み部分に集中するため、十分な耐荷重を得ることは困難であった。
【０００５】
従って、より大きい天板面にすることと、小さくコンパクトに収納することとを両立させる問題がなかなか解決できなかった。
【０００６】
【発明が解決しようとする課題】
本発明は、分解収納性がよく、軽量で持ち運びに適した組立て式のミニテーブルを提供することを目的とする。
【０００７】
【課題を解決するための手段】
本発明の組立て式のミニテーブルは、対向して置かれる２つの脚板と、各脚板の長さ方向両端に嵌合することにより、脚板と直角に取り付けられる２つの端縁梁と、各脚板の頂部に嵌合することにより、端縁梁の間で端縁梁に平行に取り付けられる１つ以上の連結梁と、端縁梁および連結梁に嵌合して天板を構成する複数の天板片とからなる。
【０００８】
前記脚板は、長さ方向両端に係合構造を備え、前記端縁梁は、一方側面に天板片が摺動可能な構造を備え、かつ、両端寄りの２個所に前記脚板の係合構造に係合可能な貫通孔を備え、前記連結梁は、両方側面に天板片が摺動可能な構造を備え、かつ、両端寄りの２個所に前記脚板の頂部に嵌合する構造を備え、前記天板片は、端縁梁および連結梁に摺動可能な構造を、対向する一対の辺縁に備え、かつ、端縁梁および連結梁の長さの半分の長さを有することが望ましい。
【０００９】
前記脚板、前記端縁梁および前記連結梁は、それぞれ２つ折り可能な構造であることが望ましい。
【００１０】
本発明の組立て式のミニテーブルの一態様では、一対の平行な辺縁のそれぞれに、先端が基部より大きい断面形状のレール構造を有する６つの天板片と、２つの脚板と、前記レール構造の先端を挟み込んで摺動可能な溝を両方の側面に有する２つの連結梁と、前記レール構造の先端を挟み込んで摺動可能な溝を一方の側面に有する２つの端縁梁とからなる。前記脚板、前記端縁梁および前記連結梁は、それぞれ２つ折り可能な構造であり、前記脚板の頂部には、水平方向にわたり同じ断面形状の膨らんだ先端部を備え、該先端部の長さ方向両端には、長さ方向に伸び出て、さらに直角方向に伸び出る下向きＬ字状係合構造を備え、前記連結梁の両端寄りの２箇所には、略下方向に向けて、脚板の先端部が挿通されて摺動可能な貫通溝をそれぞれ備え、前記端縁梁の両端寄りの２箇所には、脚板の下向きＬ字状係合構造に係合可能な貫通孔をそれぞれ備える。前記天板片のレール構造と垂直な辺の一方には、前記連結梁または端縁梁の端部で天板片が係止される構造の縁部を備えることが望ましい。
【００１１】
さらに、前記天板片の２つを、組み立てられて天板を構成する面と反対側の面を対向する位置関係で向かい合わせることにより、レール構造を備えた２つの縁部で挟まれた空間が形成され、６つの天板片による３つの該空間内に、折り畳んだ２つの脚板、折り畳んだ２つの連結梁、および折り畳んだ２つの端縁梁を、それぞれ収納可能であることが望ましい。
【００１２】
【発明の実施の形態】
本発明を図面に基づいて説明する。しかし、本発明は、説明のために図示した形状および寸法に限定されない。
【００１３】
図１は、本発明の一実施例のミニテーブルを使用する状態の斜視図である。図２は、組立て方法を示す斜視図である。図３は、収納方法を示す斜視図である。
【００１４】
図４は、収納した状態の斜視図である。図５〜図８は、部品を示す一部拡大図を付した斜視図である。
【００１５】
本発明のミニテーブルの一実施例では、図示したように、６つの天板片１１〜１６と、２つの脚板４１、４２と、２つの連結梁３１、３２と、２つの端縁梁２１、２２とを組み立てて使用する。天板片、連結梁の数は、必要とする天板の広さに応じて増減することが可能である。
【００１６】
天板片１１は、図５に示したように、天板面１１ｃと、一対の平行な辺縁のそれぞれに、矢形断面で下方に張り出し、先端が基部より大きい断面形状のレール構造１１ａ、１１ｂと、レール構造１１ａ、１１ｂと垂直な辺の一方に、下方張り出し縁部１１ｄと、他方に張り出しの無い縁部１１ｅとを有する。
【００１７】
さらに、天板片１１〜１６が所定位置で移動しにくくするように、下方に張り出した縁部１１ｄと、後述する連結梁３１、３２の溝３１ｆ、３１ｇ、または端縁梁２１、２２の溝２１ｆとに、僅かな突起またはバネのような弾性材と、孔または窪みとをそれぞれに設ける。
【００１８】
脚板４１は、図６に示したように、折畳み回転軸４１ｃにより、部材４１ａおよび４１ｂが重なるように２つ折り可能である。それぞれの部材４１ａ、４１ｂの頂部には、水平方向にわたり同じ断面形状の膨らんだ先端部４１ｆ、４１ｇを備える。膨らんだ先端部４１ｆ、４１ｇは、後述の連結梁３１の貫通溝３１ｄ、３１ｅとはまり合って、連結梁３１を上下に不動に支持する。該先端部４１ｆ、４１ｇの長さ方向両端には、長さ方向に伸び出て、さらに直角方向に伸び出る下向きＬ字状係合構造４１ｄ、４１ｅ（図６の拡大図）を備える。該係合構造４１ｄ、４１ｅは、後述の端縁梁２１の貫通孔２１ｄ、２１ｅとかみ合って、端縁梁２１を上下に不動に支持する。
【００１９】
連結梁３１は、図７に示したように、折畳み回転軸３１ｃにより、部材３１ａおよび３１ｂが同一方向へ向くように２つ折り可能である。両方の側面には、天板片のレール構造の先端を挟み込んで摺動可能な溝３１ｆ、３１ｇを有する。両端寄りの２箇所には、略下方向に向けて、脚板４１の先端部４１ｆ、４１ｇが挿通されて摺動可能な貫通溝３１ｄ、３１ｅをそれぞれ備える。貫通溝３１ｄ、３１ｅは、下端開放で、前記先端部４１ｆ、４１ｇの膨らみと、板厚に対応する鍵穴状寸法になっている（図７の拡大図）。
【００２０】
端縁梁２１は、図８に示したように、折畳み回転軸２１ｃにより、部材２１ａおよび２１ｂが同一方向へ向くように２つ折り可能である。一方の側面には、天板片のレール構造の先端を挟み込んで摺動可能な溝２１ｆを有する。両端寄りの２箇所には、脚板４１の下向きＬ字状係合構造４１ｄ、４１ｅに係合可能な貫通孔２１ｄ、２１ｅ（図８の拡大図）をそれぞれ備える。貫通孔２１ｄ、２１ｅは、前記Ｌ字状係合構造４１ｄ、４１ｅに対応する形状であり、後述のように、端縁梁２１を下向きＬ字状係合構造４１ｄ、４１ｅにはめ合わせつつ回動して、組み立てるようになっている（図２の拡大断面図）。
【００２１】
以下に、本発明のミニテーブルの組立て方法および収納方法について説明する。
【００２２】
組立て時には、図２に示したように、脚板４１、４２を伸長させて、連結梁３１、３２の貫通溝３１ｄ、３１ｅ内に脚板の先端部４１ｆ、４１ｇをその端から差し込み摺動させて、伸長させた連結梁３１、３２を取り付ける。その後、拡大断面図に示したように、脚板４１の頂部の両端に、端縁梁２１の貫通孔２１ｄを下方より差し込み、上端の平坦部に沿って端縁梁２１を回転させて立設することにより、端縁梁２１を脚板４１に係合させる。従って、下向きＬ字状係合構造４１ｄ、４１ｅの上側には、図６の拡大図に示したように、湾曲部４１ｊ、４１ｋを形成する。該湾曲部４１ｊ、４１ｋにより、前述のように端縁梁２１、２２が回転を伴って挿入可能となり、天板片が挿入されて回転できなくなる端縁梁２１、２２は脱落しなくなる。
【００２３】
天板片１１〜１６は、図１に示したように、連結梁３１と連結梁３２の間、連結梁３１と端縁梁２１の間、および連結梁３２と端縁梁２２の間に、レール構造１１ａ、１１ｂをそれぞれの溝に滑り込ませることにより、取り付けて組立て完了となる。
【００２４】
解体時には、以上の組立てと逆の手順で行う。
【００２５】
天板から連結梁および端縁梁への荷重の授受は、天板面の全体に広がるので、天板にかかる荷重が、連結梁および端縁梁に均等に分散される。さらに、連結梁および端縁梁から脚板への荷重の授受は、脚板の頂部に等間隔で均等に広がるので、荷重が集中することを効果的に防止することが可能である。従って、全体としての耐荷重性能が向上することになる。
【００２６】
収納時には、図３および図４に示したように、天板片１１、１２の２つを、組み立てられて天板を構成する面と反対側の面を対向する位置関係で重ねることにより、レール構造を備えた２つの縁部で挟まれた空間が形成され、折り畳んだ２つの端縁梁２１、２２が収納可能である。同様に、天板片１３、１４の２つで挟まれた空間内に、折り畳んだ２つの連結梁３１、３２が収納可能であり、天板片１５、１６の２つで挟まれた空間内に、折り畳んだ２つの脚板４１、４２が収納可能である。脚板４１、４２には、両端に接地部分が形成されるように、中央下端に切欠きを設ける。従って、折り畳んだ脚板４１、４２がＬ字状となり、対称的に並べることにより、方形の空間内にうまく収まる形状となる。
【００２７】
図４に示した収納した状態の斜視図のように、長さは天板の約半分になる。さらに、各部品が収納可能な最小限となるように、天板片の厚さおよびレール構造の寸法を調整することにより、最大限に収納性を高めることが可能である。
【００２８】
実施例として作製したミニテーブルの図１に示した使用状態は、天板の広さが３５０×２４６ｍｍ（週刊誌の見開きの大きさ）で、高さが８５ｍｍであったが、図４に示した収納状態では、１８０（約１／２）×８０（約１／３）×３１ｍｍとなった。これは、パスポートを厚くした外形に等しい。
【００２９】
携行品をいかに小さく、隙間無く、かつ密集させて収納するかが問題となる登山において、前述のようなパスポートサイズに収納可能な本発明のミニテーブルは、極めて顕著な効果が得ることができる。
【００３０】
【発明の効果】
以上のように、本発明により、従来の半分程度と極めて小さく収納可能で、使用時は、従来よりも耐荷重性能が向上するという極めて顕著な効果を得ることができた。
【図面の簡単な説明】
【図１】本発明の一実施例のミニテーブルを使用する状態の斜視図である。
【図２】組立て方法を示す斜視図である。
【図３】収納方法を示す斜視図である。
【図４】収納した状態の斜視図である。
【図５】天板片を示す斜視図である。
【図６】脚板を示す斜視図である。
【図７】連結梁を示す斜視図である。
【図８】端縁梁を示す斜視図である。
【符号の説明】
１１、１２、１３、１４、１５、１６　天板片
１１ａ、１１ｂ　レール構造
１１ｃ　天板面
１１ｄ、１１ｅ　縁部
２１、２２　端縁梁
２１ａ、２１ｂ　部材
２１ｃ　折畳み回転軸
２１ｄ、２１ｅ　貫通孔
２１ｆ　溝
３１、３２　連結梁
３１ａ、３１ｂ　部材
３１ｃ　折畳み回転軸
３１ｄ、３１ｅ　貫通溝
３１ｆ、３１ｇ　溝
４１、４２　脚板
４１ａ、４１ｂ　部材
４１ｃ　折畳み回転軸
４１ｄ、４１ｅ　下向きＬ字状係合構造
４１ｆ、４１ｇ　先端部
４１ｊ、４１ｋ　湾曲部
【図１】
2004089556.tif 000003
【図２】
2004089556.tif 000004
【図３】
2004089556.tif 000005
【図４】
2004089556.tif 000006
【図５】
2004089556.tif 000007
【図６】
2004089556.tif 000008
【図７】
2004089556.tif 000009
【図８】
2004089556.tif 000010